(57)【特許請求の範囲】
【請求項１】
互いに対向配置される一対の天板部と、
上下方向に伸縮することで前記天板部を昇降可能に支持するとともに、前記天板部同士を連結する支持体と、
前記一対の天板部間に配置された中間構造体と、
前記中間構造体の少なくとも上部に設けられ、透光性を有する透光性パネル部と、を備え、
前記支持体は、前記一対の天板部が対向する対向方向と交差する交差方向に離間して、床面上に設けられた一対の基部を有し、
前記中間構造体は、前記一対の基部に支持されていることを特徴とする天板昇降式什器。
【請求項２】
前記透光性パネル部は、前記中間構造体の上部に着脱可能に装着されていることを特徴とする請求項１に記載の天板昇降式什器。
【請求項３】
前記中間構造体は、鉛直面に沿って配置されたパネル状の部材であることを特徴とする請求項１または２に記載の天板昇降式什器。
【発明の詳細な説明】
【技術分野】
【０００１】
本発明は、昇降式の天板を備えたデスク装置、テーブル装置、カウンター装置等の天板昇降式什器に関する。
【背景技術】
【０００２】
オフィスや公共施設等の執務空間においては、執務者に作業エリアを提供するためにデスク装置（デスク）が配設されているのが一般的である。執務者の体格や性別、嗜好によって作業のし易いデスク装置の天板高さは、個々によって大きく異なっている。そこで、天板高さを上下方向に変更可能とした天板昇降式デスクが使用されている。こうした天板昇降式デスクを用いることによって、執務者の要望に応じた天板高さの作業エリアを提供することができ、作業効率を向上するとともに、執務者の体への負荷を低減することができる。
【０００３】
天板高さを上下方向に変更するための手段としては、ガススプリングを用いる方法、ギアを用いる方法等が提案されている（例えば、下記特許文献１及び２参照）。これらの方法によれば、比較的簡易的な構造とし、コストを安く抑えることができる。また、執務者の操作性を良好にするために電動式の昇降機構ユニットを用いる方法が多く採用されている（例えば、下記特許文献３から５参照）。この方法によれば、執務者が容易な操作で天板高さを変更できる。
【０００４】
また、対向配置及び隣接配置された複数の天板と、各天板の高さを調整可能に支持する脚体と、を備えた昇降テーブルが提案されている。このような昇降テーブルでは、複数の天板で脚体を共通としながら、各天板の高さをそれぞれ調整することができる（下記特許文献６参照）。
【先行技術文献】
【特許文献】
【０００５】
【特許文献１】特許第３３７１９５９号公報
【特許文献２】特許第３３９１２８５号公報
【特許文献３】実用新案登録第３１６４７３９号公報
【特許文献４】特開２０１４−１１３５０５号公報
【特許文献５】特開２０１４−１４０７５３号公報
【特許文献６】特開２０１４−２１７７４０号公報
【発明の概要】
【発明が解決しようとする課題】
【０００６】
しかしながら、特許文献６に記載の昇降テーブル等の天板昇降式什器では、天板が対向配置されているため、天板に向かう利用者は、互いに対向姿勢となり、互いの視線が気になり作業に集中しにくくなるという問題点がある。
また、視線を遮断するために、複数の天板の間に空間を区画する仕切パネルを配置すると、天井等に設けられた照明装置の照明が仕切パネルで遮断され、天板上で十分な照度を確保できないという問題点もある。
【０００７】
本発明は、上記事情に鑑みてなされたものであり、個別空間を確保しつつ、天板部上の照度を確保することができる天板昇降式什器を提供するものである。
【課題を解決するための手段】
【００１０】
また、本発明に係る天板昇降式什器は、前記透光性パネル部は、前記中間構造体の上部に着脱可能に装着されていることが好ましい。
【００１１】
このように構成された天板昇降式什器では、透光性パネル部を中間構造体の上部に装着して個別空間を確保できるとともに、透光性パネル部を取り外して中間構造体の上方を開放的な空間とすることもできる。
【００１４】
また、本発明に係る天板昇降式什器は、前記中間構造体は、鉛直面に沿って配置されたパネル状の部材であってもよい。
【００１５】
このように構成された天板昇降式什器では、一対の天板部間に鉛直面に沿って配置されたパネル状の部材により、一方の天板部側の空間と、他方の天板部側の空間とが区画される。よって、全体としてコンパクトな構成としつつ、個別空間を確実に確保することができる。
【００１６】
また、本発明に係る天板昇降式什器は、互いに対向配置される一対の天板部と、上下方向に伸縮することで前記天板部を昇降可能に支持するとともに、前記天板部同士を連結する支持体と、前記一対の天板部間に配置された中間構造体と、前記中間構造体の少なくとも上部に設けられ、透光性を有する透光性パネル部と、を備え、前記支持体は、前記一対の天板部が対向する対向方向と交差する交差方向に離間して、床面上に設けられた一対の基部を有し、前記中間構造体は、前記一対の基部に支持されていてもよい。
【００１７】
このように構成された天板昇降式什器では、床面上に交差方向に離間して設けられた一対の基部が中間構造体を支持するため、中間構造体を安定して設置することができる。
また、一対の天板部、一対の基部、中間構造体及び透光性パネル部を、一体にユニット化することができる。
【発明の効果】
【００２２】
本発明に係る天板昇降式什器によれば、個別空間を確保しつつ、天板部上の照度を確保することができる。
【図面の簡単な説明】
【００２３】
【図１】本発明の第一実施形態に係る天板昇降式什器の斜視図である。
【図２】本発明の第一実施形態の変形例１に係る天板昇降式什器の透光性パネル部の構成を示す斜視図である。
【図３】本発明の第一実施形態の変形例２に係る天板昇降式什器の透光性パネル部の構成を示す斜視図である。
【図４】本発明の第一実施形態の変形例３に係る天板昇降式什器の透光性パネル部の構成を示す斜視図である。
【図５】本発明の第一実施形態の変形例４に係る天板昇降式什器の透光性パネル部の構成を示す斜視図である。
【図６】本発明の第一実施形態の変形例５に係る天板昇降式什器の透光性パネル部の構成を示す斜視図である。
【図７】本発明の第二実施形態に係る天板昇降式什器の斜視図である。
【図８】本発明の第三実施形態に係る天板昇降式什器の斜視図である。
【図９】本発明の第四実施形態に係る天板昇降式什器の斜視図である。
【発明を実施するための形態】
【００２４】
（第一実施形態）
以下、本発明の実施形態に係る天板昇降式什器の一例としてデスク装置について説明する。
図１は、本発明の第一実施形態に係る天板昇降式什器の斜視図である。
【００２５】
図１に示すように、デスク装置１０は、天板部２０Ａ，２０Ｂと、天板部２０Ａ，２０Ｂを支持する脚体（支持体）１１と、脚体１１に支持された中間仕切パネル（中間構造体）１６と、中間仕切パネル１６の上部に装着される透光性パネル（透光性パネル部）３０，３０と、を備えている。
【００２６】
天板部２０Ａ，２０Ｂは、それぞれ平面視長方形の天板２１Ａ，２１Ｂを有している。天板２１Ａ，２１Ｂは、平面視した状態で、それぞれの短辺方向において互いに対向している。
ここで、以下の説明において、天板２１Ａ，２１Ｂが互いに対向する方向（短辺方向）を対向方向、天板２１Ａ，２１Ｂの長手方向に沿った方向を幅方向（交差方向）、デスク装置１０が設置される床面Ｆに直交する方向を上下方向と適宜称する。
【００２７】
天板２１Ａ，２１Ｂは、幅方向両端部の下面に、対向方向に延びる支持ブラケット２３をそれぞれ有している。天板２１Ａ，２１Ｂは、これら支持ブラケット２３，２３を介して、幅方向両端部に位置する脚体１１，１１の後述する第三筒部１３ｚの上端に連結されている。
【００２８】
また、天板２１Ａ，２１Ｂの幅方向両側部には、各天板２１Ａ，２１Ｂを上下に貫通する配線挿通孔（不図示）が設けられている。配線挿通孔には、配線キャップ２１Ｚが嵌合されている。
【００２９】
脚体１１は、床面Ｆに沿って設けられるベース部材（基部）１２，１２と、各ベース部材１２上に設けられて上下方向に延び天板部２０Ａ，２０Ｂを支持する支持脚部材１３，１３と、を有している。この脚体１１を介して、天板部２０Ａ，２０Ｂは連結されている。
【００３０】
ベース部材１２，１２は、幅方向に沿って間隔を空けて配置され、デスク装置１０の幅方向両端部に位置するよう設けられている。各ベース部材１２の下面には、対向方向の両端部に床面Ｆに接地する接地部材１２ｆ，１２ｆが設けられている。各接地部材１２ｆは、ベース部材１２から下方への突出寸法が調整可能である。これにより、ベース部材１２の高さおよび水平レベルを調整できるようになっている。
【００３１】
各支持脚部材１３は、各ベース部材１２に長さ方向（天板２１Ａ，２１Ｂの対向方向）に離間して設けられている。各支持脚部材１３は、ベース部材１２の上面１２ｕに固定された第一筒部１３ｘと、第一筒部１３ｘ内に上下方向に移動可能に挿入された第二筒部１３ｙと、第二筒部１３ｙ内に上下方向に移動可能に挿入された第三筒部１３ｚと、を有している。第一筒部１３ｘ、第二筒部１３ｙ、第三筒部１３ｚは、それぞれ角筒状をなしている。各支持脚部材１３は、第一筒部１３ｘに対し、第二筒部１３ｙ、第三筒部１３ｚが上下方向に沿って出没することで、上下方向の長さが調整可能となっている。
【００３２】
さらに、デスク装置１０は、支持脚部材１３の動作を制御する制御ユニット（不図示。以下同じ。）と、制御ユニットに昇降動作信号を入力するための操作部１９と、を備えている。
制御ユニットは、例えば、天板２１Ａ，２１Ｂの下面等に固定されている。この制御ユニットには、デスク装置１０が配置される執務空間に設けられた商用電源に接続される電源ケーブル（不図示。以下同じ。）が接続されている。
【００３３】
操作部１９は、天板２１Ａ，２１Ｂの下面に設けられている。操作部１９は、制御ユニットに、配線ケーブル（不図示。以下同じ。）を介して電気的に接続されている。
利用者が操作部１９に対して所定の操作を入力すると、操作部１９から配線ケーブルを介し、制御ユニットに操作信号が送信される。制御ユニットは、操作部１９から操作信号を受信すると、受信した信号に基づいて支持脚部材１３に昇降動作を実行させる指令信号を出力する。各支持脚部材１３は、指令信号を受信すると、その指令信号に応じて、例えば各支持脚部材１３に内蔵された伸縮駆動装置（不図示）によって伸縮駆動され、これによって天板部２０Ａ，２０Ｂの高さの調整がなされる。
【００３４】
中間仕切パネル１６は、天板部２０Ａ，２０Ｂ間に配置され、鉛直面内に位置している。中間仕切パネル１６は、ベース部材１２，１２の上面１２ｕ，１２ｕに設けられたパネル脚１６ａ，１６ａと、パネル脚１６ａ，１６ａに支持されたパネル本体１６ｂと、を有している。
【００３５】
パネル本体１６ｂは、天板２１Ａ，２１Ｂの対向方向に所定の厚みを有し、天板２１Ａ，２１Ｂの幅方向に沿って配置されている。パネル本体１６ｂの表面には、布が張設されている。また、パネル本体１６ｂの表面には、板厚方向に凹む凹部１６ｄが複数形成されている。
【００３６】
また、パネル本体１６ｂの上面１６ｅには、下方に向かって凹む格納空間部１６ｆ，１６ｆが形成されている。格納空間部１６ｆ，１６ｆは、天板２１Ａ，２１Ｂの幅方向に離間して設けられている。
【００３７】
透光性パネル３０は、中間仕切パネル１６の上部に着脱可能に装着される。透光性パネル３０は、アクリル樹脂等、光透過性を有した透過性材料により形成されている。
【００３８】
透光性パネル３０は、パネル本体１６ｂの格納空間部１６ｆに格納された格納状態と、格納空間部１６ｆから突出した使用状態とで、位置変更可能とされている。
【００３９】
例えば、利用者は、格納状態から、透光性パネル３０の上部に設けられた板厚方向の貫通孔３０ｈに指をかけて、透光性パネル３０を引き上げる。そして、透光性パネル３０を所定の高さまで引き上げたところで、パネル本体１６ｂに設けられた板厚方向の貫通孔（不図示。以下同じ。）にピン（不図示。以下同じ。）を挿入する。このピンが透光性パネル３０の下面に係合することで、透光性パネル３０はこれ以上下方に移動することがなく、所定の高さに維持され、使用状態とされる構成であってもよい。また、ピンを貫通孔から引き抜くと、透光性パネル３０が格納空間部１６ｆ内を下方に移動して、格納空間部１６ｆ内に格納され、格納状態に戻る。
【００４０】
上記に示すデスクシステム１Ａでは、操作部１９を操作して、天板部２０Ａ，２０Ｂをそれぞれ所定の高さに設定することができる。そして、天板部２０Ａ，２０Ｂの間に配置された中間仕切パネル１６により、天板部２０Ａ側の空間Ｓ１と、天板部２０Ｂ側の空間Ｓ２とが、区画される。
【００４１】
このように構成されたデスク装置１０では、天板部２０Ａ，２０Ｂ間に配置された中間仕切パネル１６及び中間仕切パネル１６の上部に設けられた透光性パネル３０により、天板部２０Ａ側の空間Ｓ１と、天板部２０Ｂ側の空間Ｓ２とが区画されるため、個別空間を確保することができる。
また、例えば天井等に設けられた照明装置（不図示。以下同じ。）の照明Ｔ（図１参照）は、透光性パネル３０を通過して、照明装置が設けられた側の空間とは反対側の空間に到達する。よって、照明が両方の天板部２０Ａ，２０Ｂ上に到達するため、各天板部２０Ａ，２０Ｂ上の照度を確保することができる。
【００４２】
また、透光性パネル３０を中間仕切パネル１６の上部に設ける場合には、透光性パネル３０を格納空間部１６ｆから突出させ、使用状態にする。また、透光性パネル３０を中間仕切パネル１６の上部に設けない場合には、透光性パネル３０を格納空間部１６ｆに格納する。よって、使用状態と格納状態とに適宜対応できる。さらに、透光性パネル３０を中間仕切パネル１６の上部に設けない場合には、透光性パネル３０を中間仕切パネル１６の内部に格納できるため体裁が良いとともに、中間仕切パネル１６の上方を開放的な空間とすることができる。
【００４３】
また、天板部２０Ａ，２０Ｂ間に鉛直面に沿って配置されたパネル状の中間仕切パネル１６により、天板部２０Ａ側の空間Ｓ１と、天板部２０Ｂ側の空間Ｓ２とが区画される。よって、全体としてコンパクトな構成としつつ、個別空間を確実に確保することができる。
【００４４】
また、床面Ｆ上に天板２１Ａ，２１Ｂの幅方向に離間して設けられたベース部材１２，１２が中間仕切パネル１６を支持するため、中間仕切パネル１６を安定して設置することができる。
また、天板部２０Ａ，２０Ｂ、ベース部材１２，１２、中間仕切パネル１６及び透光性パネル３０を、一体にユニット化することができる。
【００４５】
（変形例１）
上記に示す変形例１について、主に図２を用いて説明する。
図２は、本発明の第一実施形態の変形例１に係る天板昇降式什器の透光性パネル部の構成を示す斜視図である。
以下の変形例、他の実施形態において、前述した実施形態で用いた部材と同一の部材には同一の符号を付して、その説明を省略する。
【００４６】
図２に示すように、透光性パネル３０Ａは、中間仕切パネル１６の上部に装着される取付部３１Ａと、光透過性を有した透過性材料により形成されたパネル本体３２Ａと、を有している。
【００４７】
取付部３１Ａの下面３１ｄには、上方に向かって凹む凹部（不図示。以下同じ。）が形成されている。凹部は、透光性パネル３０Ａの幅方向に沿って形成されている。この凹部には、中間仕切パネル１６の上部が挿入可能とされている。
【００４８】
また、取付部３１Ａの上面３１ｕには、下方に向かって凹む凹部３１ｅが形成されている。凹部３１ｅは、透光性パネル３０Ａの幅方向に沿って形成されている。この凹部３１ｅに、パネル本体３２Ａの下部が挿入され、嵌合されている。
【００４９】
上記において、透光性パネル３０Ａを中間仕切パネル１６の上部に設ける場合には、透光性パネル３０Ａの凹部に中間仕切パネル１６の上部を嵌め込む。
【００５０】
（変形例２）
上記に示す変形例２について、主に図３を用いて説明する。
図３は、本発明の第一実施形態の変形例２に係る天板昇降式什器の透光性パネル部の構成を示す斜視図である。
【００５１】
図３に示すように、透光性パネル３０Ｂは、光透過性を有した透過性材料により形成されている。透光性パネル３０Ｂの下部において、幅方向中央側には、下方に向かって突出する突出部３１Ｂが形成されている。
【００５２】
中間仕切パネル１６Ｂの上部において、幅方向中央側には、下方に向かって凹む凹部１６ｇが形成されている。凹部１６ｇには、透光性パネル３０Ｂの突出部３１Ｂが挿入可能とされている。
【００５３】
上記において、透光性パネル３０Ｂを中間仕切パネル１６Ｂの上部に設ける場合には、透光性パネル３０Ｂの突出部３１Ｂを中間仕切パネル１６Ｂの凹部１６ｇに嵌め込む。
【００５４】
（変形例３）
上記に示す変形例３について、主に図４を用いて説明する。
図４は、本発明の第一実施形態の変形例３に係る天板昇降式什器の透光性パネル部の構成を示す斜視図である。
【００５５】
図４に示すように、透光性パネル３０Ｃは、光透過性を有した透過性材料により形成されている。透光性パネル３０Ｃの下部において、幅方向中央側には、下方に向かって突出する取付部３１Ｃ，３１Ｃが設けられている。
【００５６】
取付部３１Ｃ，３１Ｃは、透光性パネル３０Ｃの幅方向に離間して設けられている。各取付部３１Ｃは、上向きコ字状に形成された挟持部３２Ｃと、挟持部３２Ｃの下部から下方に延びる挿入部３３Ｃと、を有している。挟持部３２Ｃの対向する一対の側壁部どうしは、透光性パネル３０Ｃを挟持している。
【００５７】
中間仕切パネル１６Ｃの上部において、幅方向両端側には、下方に向かって凹む凹部１６ｈ，１６ｈが形成されている。各凹部１６ｈには、それぞれ透光性パネル３０の挿入部３３Ｃが挿入可能とされている。
【００５８】
上記において、透光性パネル３０Ｃを中間仕切パネル１６Ｃの上部に設ける場合には、透光性パネル３０Ｃの挿入部３３Ｃを中間仕切パネル１６Ｃの凹部１６ｈに嵌め込む。
【００５９】
（変形例４）
上記に示す変形例４について、主に図５を用いて説明する。
図５は、本発明の第一実施形態の変形例４に係る天板昇降式什器の透光性パネル部の構成を示す斜視図である。
【００６０】
図５に示すように、透光性パネル３０Ｄ，３０Ｅは、光透過性を有した透過性材料により形成されている。透光性パネル３０Ｄ，３０Ｅは、それぞれ上部及び下部が平面状に形成されるとともに、上下方向中間部が湾曲している。透光性パネル３０Ｄは、天板部２０Ａ（図１参照）側の空間Ｓ１側に向かって湾曲している。透光性パネル３０Ｅは、天板部２０Ｂ側の空間Ｓ２（図１参照）側に向かって湾曲している。
【００６１】
中間仕切パネル１６Ｄの上部において、下方に向かって凹む凹部１６ｉ，１６ｉが形成されている。凹部１６ｉ，１６ｉは、中間仕切パネル１６Ｄの幅方向に離間して形成されている。
【００６２】
上記において、透光性パネル３０Ｄ，３０Ｅを中間仕切パネル１６Ｄの上部に設ける場合には、透光性パネル３０Ｄ，３０Ｅの下部を中間仕切パネル１６Ｄの凹部１６ｉ，１６ｉに嵌め込む。
【００６３】
（変形例５）
上記に示す変形例５について、主に図６を用いて説明する。
図６は、本発明の第一実施形態の変形例５に係る天板昇降式什器の透光性パネル部の構成を示す斜視図である。
【００６４】
図６に示すように、透光性パネル部３０Ｆは、光透過性を有した透過性材料により形成されている。透光性パネル部３０Ｆは、中間仕切パネル１６Ｆの上部に形成された貫通部１６ｊに嵌め込まれている。
【００６５】
（第二実施形態）
上記に示す第二実施形態について、主に図７を用いて説明する。
図７は、本発明の第二実施形態に係る天板昇降式什器の斜視図である。
図７に示すように、デスク装置１０Ａは、天板部２０Ａ，２０Ｂと、脚体（支持体）１１と、ベース部材１２，１２どうしを連結する連結ビーム１４と、連結ビーム１４に取り付けられた支柱１５及び透光性パネル（透光性パネル部）３０Ｇ，３０Ｇと、支柱１５に支持された照明装置４０と、を有している。
本実施形態では、連結ビーム１４が中間構造体を構成している。
【００６６】
連結ビーム１４は、門型に形成されている。連結ビーム１４は、各ベース部材１２の上面１２ｕから立ち上がる連結脚１４ａと、連結脚１４ａ，１４ａどうしを連結する横架材１４ｂと、を有している。
【００６７】
支柱１５は、連結ビーム１４の横架材１４ｂに図示しないネジ等により取り付けられている。支柱１５は、照明装置４０を支持している。
【００６８】
照明装置４０は、図示しない電球や発光ダイオード（Light Emitting Diode；LED）等が設けられた発光部４１と、発光部４１を覆うカバー部４２，４２と、を有している。カバー部４２，４２は、発光部４１から天板２１Ａ，２１Ｂの対向方向にそれぞれ延びている。
【００６９】
透光性パネル３０Ｇは、アクリル樹脂等、光透過性を有した透過性材料により形成されている。透光性パネル３０Ｇは、連結ビーム１４の横架材１４ｂの上部に、図示しない取付金具等を介して固定されている。この透光性パネル３０Ｇは、天板２１Ａと天板２１Ｂとの間に配置され、鉛直面内に位置している。透光性パネル３０Ｇ，３０Ｇは、天板２１Ａ（天板２１Ｂ）の幅方向に沿って、離間して配置されている。この透光性パネル３０Ｇ，３０Ｇ間に、支柱１５が配置されている。支柱１５に支持された照明装置４０は、透光性パネル３０Ｇの上方に配置されている。
また、天板部２０Ａ，２０Ｂに沿って椅子Ｄを適宜設置することもできる。
【００７０】
このように構成されたデスク装置１０Ａでは、上下方向に伸縮することで各天板部２０Ａ，２０Ｂを昇降可能に支持する支持脚部材１３は、ベース部材１２に設けられている。ベース部材１２，１２どうしは、連結ビーム１４で連結されている。照明装置４０は、連結ビーム１４に取り付けられた支柱１５に支持されている。このように、照明装置４０は、支柱１５及び連結ビーム１４を介して、ベース部材１２に支持されている。よって、照明装置４０は天板部２０Ａ，２０Ｂを支持する支持脚部材１３とは異なる部材に支持されているため、天板部２０Ａ，２０Ｂの昇降にかかわらず照明装置４０を安定的に支持することができる。
また、照明装置４０は一対の天板部２０Ａ，２０Ｂの間に配置されているため、一対の天板部２０Ａ，２０Ｂそれぞれを照らすことができる。よって、各天板部２０Ａ，２０Ｂ上の照度を確保することができる。
【００７１】
また、連結ビーム１４から上方に向かって延びる支柱１５が照明装置４０を支持するため、照明装置４０を高い場所に設けることができる。よって、天板部２０Ａ，２０Ｂ上を上方から照らすことができる。
【００７２】
また、天板部２０Ａ，２０Ｂ、ベース部材１２，１２、支持脚部材１３，１３…、連結ビーム１４、支柱１５及び透光性パネル３０Ｇを、一体にユニット化することができる。
【００７３】
また、天板部２０Ａ，２０Ｂの間に配置された透光性パネル３０Ｇにより、天板部２０Ａ側の空間Ｓ１と、天板部２０Ｂ側の空間Ｓ２とが、区画される。よって、天板部２０Ａ，２０Ｂを利用する利用者それぞれに、個人のスペースである空間部Ｓ１，Ｓ２を提供することができる。
【００７４】
また、照明装置４０が透光性パネル３０Ｇの上方に配置されているため、各天板部２０Ａ，２０Ｂを透光性パネル３０Ｇの上方から照らすことができる。また、天井等に設けられた照明装置（不図示。以下同じ。）の照明Ｔ（図１参照）は、透光性パネル３０Ｇを通過して、照明装置が設けられた側の空間とは反対側の空間に到達する。よって、照明が両方の天板部２０Ａ，２０Ｂ上に到達するため、各天板部２０Ａ，２０Ｂ上の照度を確保することができる。
【００７５】
また、連結ビーム１４の横架材１４ｂの高さが高い場合には、天板部２０Ａ，２０Ｂを利用する利用者は、横架材１４ｂの下方に脚を入れることができるため、デスクシステム１Ａの使い勝手を良好にすることができる。
【００７６】
（第三実施形態）
上記に示す第三実施形態について、主に図８を用いて説明する。
図８は、本発明の第三実施形態に係る天板昇降式什器の斜視図である。
【００７７】
図８に示すように、デスク装置１０Ｈは、天板部２０Ａ，２０Ｂと、脚体（支持体）１１と、ベース部材１２，１２どうしを連結する連結ビーム１４と、連結ビーム１４に取り付けられた支柱１５Ｃ，１５Ｃと、支柱１５Ｃ，１５Ｃ間に設けられた透光性パネル（透光性パネル部）３０Ｈと、支柱１５Ｃ，１５Ｃに支持された照明装置４０Ｈを有している。
【００７８】
一対の支柱１５Ｃ，１５Ｃは、連結ビーム１４の横架材１４ｂの幅方向の両端部にそれぞれ取り付けられている。一対の支柱１５Ｃ，１５Ｃの上端部どうしは、上部連結杆１５Ｄにより連結されている。
【００７９】
これら一対の支柱１５Ｃ，１５Ｃ間には、透光性パネル３０Ｈが取り付けられている。透光性パネル３０Ｈは、図示しないネジ等により支柱１５Ｃに取り付けられている。また、一対の支柱１５Ｃ，１５Ｃの上部には、天板部２０Ａ，２０Ｂの対向方向に連通された空間部ＳＡが形成されている。
【００８０】
照明装置４０Ｈは、上部連結杆１５Ｄに設けられた発光部４１Ｈと、上部連結杆１５Ｄから天板部２０Ａ，２０Ｂの対向方向にそれぞれ延びるカバー部４２Ｈ，４２Ｈと、を有している。カバー部４２Ｈは、アクリル樹脂等、光透過性を有した透過性材料により構成されている。これにより、発光部４１Ｈの光線が、カバー部４２Ｈを通過可能とされている。
【００８１】
このように構成されたデスク装置１０Ｈでは、照明装置４０Ｈが天板部２０Ａ，２０Ｂにおける幅方向にわたって設けられているため、天板部２０Ａ，２０Ｂの幅方向にわたって明るさを確保することができる。
【００８２】
（第四実施形態）
上記に示す第四実施形態について、主に図９を用いて説明する。
図９は、本発明の第四実施形態に係る天板昇降式什器の斜視図である。
【００８３】
図９に示すように、デスク装置１０Ｉは、天板部２０Ａ，２０Ｂと、脚体（支持体）１１と、各天板部２０Ａ，２０Ｂの上部に設けられた個別仕切パネル（個別仕切パネル部）１６Ｉと、個別仕切パネル１６Ｉの上部に着脱可能に装着された透光性パネル（透光性パネル部）３０とを有している。
【００８４】
個別仕切パネル１６Ｉは、各天板部２０Ａ，２０Ｂの互いに対向する側（利用者が天板部２０Ａ，２０Ｂに対向する側と反対側）において、上方に延びるように取り付けられている。
【００８５】
このように構成されたデスク装置１０Ｉでは、各天板部２０Ａ，２０Ｂに設けられた個別仕切パネル１６Ｉ及び個別仕切パネル１６Ｉの上部に設けられた透光性パネル３０により、天板部２０Ａ側の空間Ｓ１と、天板部２０Ｂ側の空間Ｓ２とが区画されるため、個別空間を確保することができる。
また、各天板部２０Ａ，２０Ｂが脚体１１により昇降して、図９に示すように天板部２０Ａが天板部２０Ｂよりも高い位置に設定されても、天板部２０Ａに設けられた個別仕切パネル１６Ｉにより、天板部２０Ａの利用者が天板部２０Ｂの利用者を見下ろすことが抑制される。
また、例えば天井等に設けられた照明装置の照明Ｔは、透光性パネル３０を通過して、照明装置が設けられた側の空間とは反対側の空間に到達する。よって、照明が両方の天板部２０Ａ，２０Ｂ上に到達するため、各天板部２０Ａ，２０Ｂ上の照度を確保することができる。
【００８６】
なお、上述した実施の形態において示した各構成部材の諸形状や組み合わせ等は一例であって、本発明の主旨から逸脱しない範囲において設計要求等に基づき種々変更可能である。
【００８７】
例えば、上記実施形態では、天板付き什器として、デスク装置１０を例示したが、これに限らず、デスク以外の例えばカウンター、テーブル等であってもよい。
【００８８】
また、上記に示す実施形態において、中間構造体は、中間仕切パネル１６や、連結ビーム１４により構成されているが、本発明はこれに限られない。中間構造体は、天板部２０Ａ，２０Ｂ間に配置された収納ボックス（不図示）等であってもよい。
【００８９】
また、上記に示す実施形態において、中間仕切パネル１６や、連結ビーム１４は、ベース部材１２に設けられているが、本発明はこれに限られない。中間構造体は、一対の天板部の間に配置されていればよく、床面Ｆに設置されていてもよい。
【００９０】
また、中間構造体は、透光性パネル部と同様に、透光性を有する材料で形成されていてもよい。この場合には、中間構造体と透光性パネル部が一体として一枚の透光性を有する材料で形成されていてもよい。あるいは、透光性を有する中間構造体と透光性パネル部とが別体であって、透光性パネル部が中間構造体の上部に設けられていてもよい。
【００９１】
なお、中間構造体の上部に透光性を有しないパネル状の部材を設けて、一方の天板側の空間と他方の天板側の空間とを区画することもできる。当該パネル状の部材が中間構造体に対して着脱可能とされていれば、必要に応じて装着して区画する形態とするとともに、不要な場合には取り外して中間構造体の上方を開放する形態とすることもでき、利便性が高い。
【符号の説明】
【００９２】
１０…デスク装置（天板昇降式什器）
１１…脚体（支持体）
１２…ベース部材（基部）
１３…支持脚部材
１６…中間仕切パネル（中間構造体）
２０Ａ，２０Ｂ…天板部
３０…透光性パネル（透光性パネル部）
４０…照明装置
Ｆ…床面
【図１】
0006675154.tif 000002
【図２】
0006675154.tif 000003
【図３】
0006675154.tif 000004
【図４】
0006675154.tif 000005
【図５】
0006675154.tif 000006
【図６】
0006675154.tif 000007
【図７】
0006675154.tif 000008
【図８】
0006675154.tif 000009
【図９】
0006675154.tif 000010